(57)【要約】【課題】多忙な医療従事者にとって利便性が高いナースコール装置を提供する。【解決手段】看護師などのユーザが頭部にヘッドセット３１を装着して、呼び出しが生じると眼前に位置するアイスクリーンに親機２０から送られた情報（病床番号や病室番号）が表示されるようにしている。またアイスクリーンへの表示は、予め非表示設定にしておくことにより呼び出しが生じても表示を行うことができ、重要な作業中に突然眼前に表示が行われて作業の進行を阻害することがなく、その後のユーザ操作により情報をアイスクリーンに表示するようにしたものである。【選択図】      図１
2005065947.tif 000002
【特許請求の範囲】
【請求項１】
医療従事者が携帯し、無線呼出信号を受信すると、その旨を前記医療従事者に報知するナースコール装置において、
視覚的に情報を表示する表示手段と、
この表示手段を前記医療従事者の眼前に位置させた状態で、当該ナースコール装置を前記医療従事者の頭部に固定する固定手段と、
前記無線呼出信号を通じて受信した情報を前記表示手段に表示させる表示制御手段とを具備することを特徴とするナースコール装置。
【請求項２】
前記表示制御手段は、前記無線呼出信号を通じて情報を受信した場合に、前記表示手段をＯＦＦ状態からＯＮ状態にして前記情報を表示させることを特徴とする請求項１に記載のナースコール装置。
【請求項３】
さらに、前記医療従事者から要求を受け付ける入力手段と、
この入力手段を通じて受け付けた前記表示手段の表示／非表示の設定情報を記憶する記憶手段とを備え、
前記表示制御手段は、前記無線呼出信号を通じて情報を受信した場合に、前記記憶手段が記憶する設定情報に応じて、前記表示手段をＯＦＦ状態からＯＮ状態にして前記情報を表示させることを特徴とする請求項１に記載のナースコール装置。
【請求項４】
前記表示制御手段は、前記記憶手段が記憶する設定情報が非表示の設定情報であった場合でも、予め定めた時間内に前記入力手段を通じて要求を受け付けた場合には、前記表示手段をＯＦＦ状態からＯＮ状態にして前記無線呼出信号を通じて受信した情報を表示させることを特徴とする請求項３に記載のナースコール装置。
【発明の詳細な説明】
【技術分野】
【０００１】
この発明は、病院などの施設において、看護師が携帯して呼び出しを行うナースコール装置に関する。
【背景技術】
【０００２】
周知のように、従来よりナースコール装置は、ポケットベルやＰＨＳ（Personal Handyphone System）端末のような無線端末型のものがあり、看護師はこれを携帯して病院施設内を移動できるため、病院内のどこにいても呼び出すことが可能である。
【０００３】
しかしながら、従来の無線端末型のナースコール装置は、呼び出しが発生すると看護師が手にとって表示部に表示される内容を確認する必要があり、多忙な看護師にとっては利便性が低いという問題があった。
【０００４】
また従来は、表示部に表示される情報に変化があった場合に、この旨を通知する受話装置があった（例えば、特許文献１参照）。これによれば、看護師は通知があった場合のみ表示部を確認すればよいが、表示部が見えるように手に持つ必要があり、同様に多忙な看護師にとっては利便性が低いという問題があった。
【特許文献１】特開平９−４６６６０公報。
【発明の開示】
【発明が解決しようとする課題】
【０００５】
従来のナースコール装置では、呼び出しが発生すると看護師が手にとって表示部に表示される内容を確認する必要があり、多忙な看護師にとっては利便性が低いという問題があった。  
この発明は上記の問題を解決すべくなされたもので、多忙な医療従事者にとっては利便性が高いナースコール装置を提供することを目的とする。
【課題を解決するための手段】
【０００６】
上記の目的を達成するために、この発明は、医療従事者が携帯し、無線呼出信号を受信すると、その旨を前記医療従事者に報知するナースコール装置において、視覚的に情報を表示する表示手段と、この表示手段を医療従事者の眼前に位置させた状態で、当該ナースコール装置を医療従事者の頭部に固定する固定手段と、無線呼出信号を通じて受信した情報を表示手段に表示させる表示制御手段とを具備して構成するようにした。  
またこの発明は、医療従事者から要求を受け付ける入力手段と、この入力手段を通じて受け付けた表示手段の表示／非表示の設定情報を記憶する記憶手段とを備え、表示制御手段は、無線呼出信号を通じて情報を受信した場合に、記憶手段が記憶する設定情報に応じて、表示手段をＯＦＦ状態からＯＮ状態にして情報を表示させることを特徴とする。
【発明の効果】
【０００７】
以上述べたように、この発明では、看護師などの医療従事者の頭部に固定することで、眼前に表示手段を位置させ、呼び出しが生じると上記表示手段に無線呼出信号を通じて受信した情報を表示させるようにしている。
【０００８】
したがって、この発明によれば、従来のように呼び出しが発生すると医療従事者が手にとって表示部に表示される内容を確認する必要がなく、多忙な医療従事者にとって非常に利便性が高いナースコール装置を提供できる。
【０００９】
またこの発明では、無線呼出信号を通じて情報を受信した場合に、記憶手段が記憶する設定情報に応じて、表示手段をＯＦＦ状態からＯＮ状態にして情報を表示させるようにしている。
【００１０】
したがって、この発明によれば、予め非表示設定にしておくことにより呼び出しが生じても表示を行わないようにすることができ、重要な作業中に突然眼前に表示が行われて重大な作業の進行を阻害することがなく安全性の高いナースコール装置を提供できる。
【発明を実施するための最良の形態】
【００１１】
以下、図面を参照して、この発明の一実施形態について説明する。  
図１は、この発明の一実施形態に係わるナースコール装置を用いたナースコールシステムの全体構成を示すものである。この図に示すナースコールシステムは、子機１１〜１ｎと、親機２０と、ナースコール装置３０とを備えている。
【００１２】
子機１１〜１ｎは、それぞれ患者の病床やトイレなどに対応づけて設けられるものであり、操作スイッチを押すと、識別情報を有する無線信号が親機２０に送信され、親機２０を介してナースコール装置３０と音声通話が可能である。
【００１３】
親機２０は、当該ナースコールシステムを統括して制御するものであって、上記子機１１〜１ｎから無線信号を受信すると、ナースコール装置３０に宛てた呼出信号を送信し、これにナースコール装置３０が応答すると、子機１１〜１ｎとナースコール装置３０との間に通信リンクを確立し、音声通話の中継を行う機能を備えている。なお、上記呼出信号には、子機１１〜１ｎの識別情報の対応づけられた病床番号や病室番号などの情報が含まれている。
【００１４】
ナースコール装置３０は、医者や看護師などの医療従事者がユーザとして携帯するものであり、頭部などに装着するヘッドセット３１と、制御装置３２とからなる。図２は、ヘッドセット３１の外観を示すものであり、この図に示すようにヘッドセット３１は、頭部に装着した際に片方の目の位置に来るアイスクリーン３１１と、耳の近傍に来る本体３１２と、マイクロホン３１３と、頭部に巻き付けてヘッドセット３１を固定するための固定具３１４とからなる。
【００１５】
図３は、ヘッドセット３１と制御装置３２の構成を示す回路ブロック図である。  
アイスクリーン３１１は、透過型の液晶パネルであって、映像が表示されないＯＦＦ時には、完全に透き通った状態となって反対側の景色が見えるものである。本体３１２には、アンテナ３１２１と、無線部３１２２と、制御部３１２３と、スピーカ３１２４とを備える。
【００１６】
無線部３１２２は、アンテナ３１２１を通じて制御装置３２とBluetooth（商標）などの近距離データ無線通信方式で無線通信を行うものである。制御部３１２３は、当該ヘッドセット３１の各部を統括して制御するものであって、マイクロホン３１３により得られた音声信号を無線部３１２２を通じて無線送信したり、無線部３１２２にて受信した音声信号をスピーカ３１２４より拡声出力したり、アイスクリーン３１１を制御して無線部３１２２にて受信した情報を表示する制御機能を備える。
【００１７】
制御装置３２は、アンテナ３２０と、無線部３２１と、制御部３２２と、操作部３２３と、無線部３２４と、アンテナ３２５とを備える。  
無線部３２１は、アンテナ３２０を通じて親機２０と無線通信するものである。また無線部３２４は、アンテナ３２５を通じてBluetoothなどの近距離データ無線通信方式により上記無線部３１２２と無線通信するものである。  
操作部３２３は、複数のキースイッチからなるユーザインターフェイスであって、ユーザからの指示や要求を受け付けるものである。
【００１８】
制御部３２２は、当該制御装置３２の各部を統括して制御するものであって、無線部３２１と無線部３２４を制御して、親機２０から受信した音声信号や種々の情報、操作部３２３をユーザが操作するとその操作した情報をヘッドセット３１に宛てて送信制御したり、ヘッドセット３１から受信した音声信号や種々の情報を親機２０に送信制御する。
【００１９】
次に、上記構成のナースコール装置３０の動作について説明する。図４は、ナースコール装置３０の動作を説明するためのフローチャートである。この図に示す処理は、ナースコール装置３０の電源がいったん投入されると、電源が切られるまで制御部３１２３によって繰り返し実行される。
【００２０】
まず、ステップ４ａにおいて制御部３１２３は、無線部３１２２の受信した情報を監視し、制御装置３２から設定変更の要求を示す情報を受信したか否かを判定する。ここで、設定変更の要求を示す情報を受信した場合には、ステップ４ｂに移行し、一方、設定変更の要求を示す情報を受信しない場合には、ステップ４ｃに移行する。
【００２１】
なお、設定変更の要求は、制御装置３２において、操作部３２３のスイッチをユーザが長押しすることによりなされるもので、アイスクリーン３１１の表示／非表示を長押しする毎に切り替えるものである。
【００２２】
ステップ４ｂにおいて制御部３１２３は、アイスクリーン３１１の表示／非表示の設定を切り替え、ステップ４ａに移行する。ここで、上記設定の情報は、制御部３１２３内の記憶部に記録されており、すでに表示設定がなされている場合には非表示設定に、一方、すでに非表示設定がなされている場合には表示設定にする。
【００２３】
ステップ４ｃにおいて制御部３１２３は、無線部３１２２の受信した情報を監視し、制御装置３２から呼び出しを示す情報を受信したか否かを判定する。ここで、呼び出しを示す情報を受信した場合には、ステップ４ｄに移行し、一方、呼び出しを示す情報を受信しない場合には、ステップ４ａに移行する。
【００２４】
ステップ４ｄにおいて制御部３１２３は、アイスクリーン３１１の表示／非表示の設定の情報を上記記憶部より参照し、表示／非表示どちらの設定がなされているかを判定する。ここで、非表示の設定がなされている場合にはステップ４ｅに移行し、一方、表示の設定がなされている場合には、ステップ４ｈに移行する。
【００２５】
ステップ４ｅにおいて制御部３１２３は、スピーカ３１２４を通じて呼び出し音を出力して呼び出しの発生をユーザに報知するとともに、タイマＴを起動してステップ４ｆに移行する。
【００２６】
ステップ４ｆにおいて制御部３１２３は、無線部３１２２の受信した情報を監視し、操作部３２３のスイッチをユーザが短押ししたことを示す情報を制御装置３２から受信したか否かを判定する。ここで、短押ししたことを示す情報を受信した場合には、ステップ４ｉに移行し、一方、短押ししたことを示す情報を受信しない場合には、ステップ４ｇに移行する。
【００２７】
ステップ４ｇにおいて制御部３１２３は、ステップ４ｅにて起動したタイマＴの計時結果が予め設定された時間ｔ０を経過したか否かを判定する。ここで、タイマＴが時間ｔ０以上を計時している場合には、ステップ４ａに移行し、一方、タイマＴが時間ｔ０未満を計時している場合には、ステップ４ｆに移行する。
【００２８】
一方、ステップ４ｈにおいて制御部３１２３は、スピーカ３１２４を通じて呼び出し音を出力して呼び出しの発生をユーザに報知し、ステップ４ｉに移行する。  
ステップ４ｉにおいて制御部３１２３は、アイスクリーン３１１をＯＮにして、ステップ４ｊに移行する。
【００２９】
ステップ４ｊにおいて制御部３１２３は、無線部３１２２が制御装置３２から受信した情報（病床番号や病室番号）を表示して、呼び出しが発生している旨を視覚的にユーザに報知し、ステップ４ａに移行する。
【００３０】
以上のように、上記構成のナースコール装置３０では、看護師などのユーザが頭部にヘッドセット３１を装着して、呼び出しが生じると眼前に位置するアイスクリーン３１１に親機２０から送られた情報が表示されるようにしている。
【００３１】
したがって、上記構成のナースコール装置３０によれば、表示部（アイスクリーン３１１）がウェアラブルなヘッドセット３１に搭載されているので、従来のように呼び出しが発生すると看護師が手にとって表示部に表示される内容を確認する必要がなく、多忙な看護師にとって非常に利便性が高い。
【００３２】
またアイスクリーン３１１への表示は、予め非表示設定にしておくことにより呼び出しが生じても表示を行わないようにすることができ、重要な作業中に突然眼前に表示が行われて重大な作業の進行を阻害することがなく、その後のユーザ操作により情報をアイスクリーン３１１に表示することも可能である。
【００３３】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００３４】
その一例として例えば、上記実施の形態では、固定具３１４をユーザの頭部に巻き付けることでヘッドセット３１を頭部に固定するようにしたが、他の方法によりユーザの頭部に固定するようにしてもよい。
【００３５】
また上記の実施形態では、ヘッドセット３１と制御装置３２との間を無線通信で接続するようにしたが、これに代わって例えば、有線で接続するようにしてもよい。  
その他、この発明の要旨を逸脱しない範囲で種々の変形を施しても同様に実施可能であることはいうまでもない。
【図面の簡単な説明】
【００３６】
【図１】この発明に係わるナースコール装置を用いたナースコールシステムの全体構成を示す図。
【図２】図１に示したナースコール装置のヘッドセットの外観を示す図。
【図３】図１に示したナースコール装置を構成するヘッドセットと制御装置の構成を示す回路ブロック図
【図４】図３に示したヘッドセット内の制御部によってなされる制御動作を説明するためのフローチャート。
【符号の説明】
【００３７】
１１〜１ｎ…子機、２０…親機、３０…ナースコール装置、３１…ヘッドセット、３１１…アイスクリーン、３１２…本体、３１２１…アンテナ、３１２２…無線部、３１２３…制御部、３１２４…スピーカ、３１３…マイクロホン、３１４…固定具、３２…制御装置、３２０…アンテナ、３２１…無線部、３２２…制御部、３２３…操作部、３２４…無線部、３２５…アンテナ。
【図１】
2005065947.tif 000003
【図２】
2005065947.tif 000004
【図３】
2005065947.tif 000005
【図４】
2005065947.tif 000006